(57)【要約】【課題】本発明は、小面積高解像度モデルに適合であって、消費電力を低減して、製造費用が節減できる有機電界発光素子及びその駆動方法を提示することを目的とする。【解決手段】本発明の表示装置は、データ配線Ｄと、このデータ配線Ｄと交差する第１ゲート配線Ｓ（ｎ）及び第２ゲート配線Ｓ（ｎ＋１）と、データ配線Ｄと第１ゲート配線Ｓ（ｎ）に連結される第１スイッチング素子ＳＷ＿Ｏ１、ＳＷ＿Ｏ２を含む第１画素ＯＰと、データ配線Ｄと第１ゲート配線Ｓ（ｎ）及び第２ゲート配線Ｓ（ｎ＋１）に連結される第２スイッチング素子ＳＷ＿Ｅ１、ＳＷ＿Ｅ２を含む第２画素ＥＰとを含むことを特徴とする。【選択図】図３
2007011322.tif 000002
【特許請求の範囲】
【請求項１】
データ配線と、
前記データ配線と交差する第１ゲート配線及び第２ゲート配線と、
前記データ配線と前記第１ゲート配線に連結される第１スイッチング素子を含む第１画素と、
前記データ配線と第１ゲート配線及び第２ゲート配線に連結される第２スイッチング素子を含む第２画素とを含むことを特徴とする表示装置。
【請求項２】
前記第１スイッチング素子は、前記第１ゲート配線に連結されて、相互に直列に連結される第１スイッチングトランジスタ及び第２スイッチングトランジスタを含むことを特徴とする請求項１に記載の表示装置。
【請求項３】
前記第２スイッチング素子は、前記第１ゲート配線及び第２ゲート配線の各々に連結されて、相互に直列に連結される第３スイッチングトランジスタ及び第４スイッチングトランジスタを含むことを特徴とする請求項１に記載の表示装置。
【請求項４】
前記第４スイッチングトランジスタは、前記データ配線に連結されることを特徴とする請求項３に記載の表示装置。
【請求項５】
前記第１画素は、前記第１スイッチング素子に連結される駆動トランジスタと、前記駆動トランジスタに連結される有機電界発光ダイオードと、前記駆動トランジスタに連結されるキャパシターを含むことを特徴とする請求項１に記載の表示装置。
【請求項６】
前記第２画素は、前記第２スイッチング素子に連結される駆動トランジスタと、前記駆動トランジスタに連結される有機電界発光ダイオードと、前記駆動トランジスタに連結されるキャパシターを含むことを特徴とする請求項１に記載の表示装置。
【請求項７】
水平周期のうち第１期間及び第２期間に、第１画素の第１スイッチング素子をターンオンして、前記第１期間に、第２画素の第２スイッチング素子をターンオンする段階と、
前記第１期間及び第２期間の各々に、第１データ信号及び第２データ信号を、前記第１画素及び第２画素に連結されたデータ配線に印加する段階とを含むことを特徴とする表示装置の駆動方法。
【請求項８】
前記第１スイッチング素子及び第２スイッチング素子をターンオンする段階は、前記第１期間及び第２期間に、前記第１スイッチング素子に含まれる第１スイッチングトランジスタ及び第２スイッチングトランジスタと、前記第２スイッチング素子に含まれる第３スイッチングトランジスタとに、第１オンゲート信号を印加する段階と、
前記第１期間に、前記第２スイッチング素子に含まれる第４スイッチングトランジスタに、第２オンゲート信号を印加する段階とを含み、
前記第１スイッチングトランジスタ及び第２スイッチングトランジスタは、直列連結されて、前記第３スイッチングトランジスタ及び第４スイッチングトランジスタは、直列連結されることを特徴とする請求項７に記載の表示装置の駆動方法。
【請求項９】
前記第１期間は、前記第２期間より水平周期において早い期間であることを特徴とする請求項８に記載の表示装置の駆動方法。
【請求項１０】
前記第１期間及び第２期間の各々は、前記水平周期の半分に当たることを特徴とする請求項９に記載の表示装置の駆動方法。
【請求項１１】
前記第１画素は、前記第１スイッチング素子に連結される駆動トランジスタと、前記駆動トランジスタに連結される有機電界発光ダイオードと、前記駆動トランジスタに連結されるキャパシターとを含むことを特徴とする請求項７に記載の表示装置の駆動方法。
【請求項１２】
前記第２画素は、前記第２スイッチング素子に連結される駆動トランジスタと、前記駆動トランジスタに連結される有機電界発光ダイオードと、前記駆動トランジスタに連結されるキャパシターとを含むことを特徴とする請求項７に記載の表示装置の駆動方法。
【請求項１３】
水平周期のうち第１期間及び第２期間の各々に、第１データ信号及び第２データ信号を供給する段階と、
前記第１期間及び第２期間の各々に、前記第１データ信号及び第２データ信号を第１画素に蓄積して、前記第２時間に前記第１データ信号を第２画素に蓄積する段階とを含むことを特徴とする表示装置の駆動方法。
【請求項１４】
前記第１データ信号及び第２データ信号を蓄積する段階は、前記第１データ信号が、前記第１画素の第１スイッチング素子と前記第２画素の第２スイッチング素子に入力される段階と、
前記第２データ信号が、前記第１スイッチング素子に入力されて、前記第２スイッチング素子に入力されない段階とを含むことを特徴とする請求項１３に記載の表示装置の駆動方法。
【発明の詳細な説明】
【技術分野】
【０００１】
本発明は、表示装置とその駆動方法に係り、より詳しくは、有機電界発光素子及びその駆動方法に関する。
【背景技術】
【０００２】
最近、使用されているディスプレー装置であるアクティブマトリックス型液晶表示装置(以下、「ＡＭＬＣＤ」という。)は、軽くかつ薄く、低消費電力の特性を有しているが、それ自体に発光特性がないために、バックライトを利用しなければならない短所がある。
【０００３】
ＡＭＬＣＤの短所を解消するためのディスプレー装置として有機電界発光素子（ＯＥＬＤ）が提案された。有機電界発光素子は、蛍光性有機化合物を電気的に励起させて発光する自発光性表示装置であって、低い電圧で駆動できて、薄膜である等の長所がある。
【０００４】
図１は、従来の有機電界発光素子を示した回路図である。
図１に示したように、従来の有機電界発光素子の画素は、ゲート配線Ｓとデータ配線Ｄ間に、スイッチングトランジスタＮ１、キャパシターＣ、駆動トランジスタＮ２及び有機電界発光ダイオードＯＬＥＤを備えている。
【０００５】
スイッチングトランジスタＮ１のゲート電極は、ゲート配線Ｓに連結されて、ソース電極は、データ配線Ｄに連結される。キャパシターＣの一端の電極は、スイッチングトランジスタＮ１のドレイン電極に連結されて、他端の電極は、接地端子ＧＮＤに連結される。駆動トランジスタＮ２のドレイン電極は、駆動配線ＶＤＤに連結されて、有機電界発光ダイオードＯＬＥＤのカソードに連結され、ゲート電極は、スイッチングトランジスタＮ１のドレイン電極に連結されて、ソース電極は、接地端子ＧＮＤに連結される。
【０００６】
図２は、図１の有機電界発光素子を駆動するためのゲート信号の波形図である。
ゲート配線Ｓに印加されるハイ信号ＶＧＨによってスイッチングトランジスタＮ１がオンになると、データ配線Ｄに印加されるデータ信号によってキャパシターＣに電荷が蓄積される。以後、キャパシターＣに蓄積されたデータ信号と駆動信号との電位の差によって、駆動トランジスタＮ２に流れる電流の量が決定されて、決定された電流の量により発光量が決定され、有機電界発光ダイオードＯＬＥＤが発光する。
【０００７】
ところが、上記のような構造は、高解像度モデルで具現する場合、信号配線数の増加及び駆動のための駆動ドライバーＩＣ数も増加される。特に、小面積高解像度モデルの場合にも、狭小な実装空間によって具現し辛い問題がある。
【発明の開示】
【発明が解決しようとする課題】
【０００８】
本発明は、前述したような問題を解決するために案出されたものであって、小面積高解像度モデルに適合であって、消費電力を低減して、製造費用が節減できる有機電界発光素子及びその駆動方法を提示することを目的とする。
【課題を解決するための手段】
【０００９】
本発明は、前述した目的を達成するために、データ配線と、前記データ配線と交差する第１ゲート配線及び第２ゲート配線と、前記データ配線と前記第１ゲート配線に連結される第１スイッチング素子を含む第１画素と、前記データ配線と第１ゲート配線及び第２ゲート配線に連結される第２スイッチング素子を含む第２画素とを含む表示装置を提供する。
【００１０】
ここで、前記第１スイッチング素子は、前記第１ゲート配線に連結されて、相互に直列に連結される第１スイッチングトランジスタ及び第２スイッチングトランジスタを含む。
【００１１】
前記第２スイッチング素子は、前記第１ゲート配線及び第２ゲート配線各々に連結されて、相互に直列に連結される第３スイッチングトランジスタ及び第４スイッチングトランジスタを含む。
前記第４スイッチングトランジスタは、前記データ配線に連結される場合もある。
【００１２】
前記第１画素は、前記第１スイッチング素子に連結される駆動トランジスタと、前記駆動トランジスタに連結される有機電界発光ダイオードと、前記駆動トランジスタに連結されるキャパシターを含む。
【００１３】
前記第２画素は、前記第２スイッチング素子に連結される駆動トランジスタと、前記駆動トランジスタに連結される有機電界発光ダイオードと、前記駆動トランジスタに連結されるキャパシターを含む。
【００１４】
一方、本発明は、水平周期の第１期間及び第２期間に、第１画素の第１スイッチング素子をターンオンして、前記第１期間に、第２画素の第２スイッチング素子をターンオンする段階と、前記第１期間及び第２期間の各々に、第１データ信号及び第２データ信号を、前記第１画素及び第２画素に連結されたデータ配線に印加する段階を含む表示装置の駆動方法を提供する。
【００１５】
ここで、前記第１スイッチング素子及び第２スイッチング素子をターンオンする段階は、前記第１期間及び第２期間に、前記第１スイッチング素子の第１スイッチングトランジスタ及び第２スイッチングトランジスタと前記第２スイッチング素子の第３スイッチングトランジスタに、第１オンゲート信号を印加する段階と、前記第１期間に、前記第２スイッチング素子の第４スイッチングトランジスタに、第２オンゲート信号を印加する段階を含み、前記第１スイッチングトランジスタ及び第２スイッチングトランジスタは、直列連結されて、前記第３スイッチングトランジスタ及び第４スイッチングトランジスタは、直列連結される。
【００１６】
前記第１期間は、前記第２期間より水平周期において早い期間である。
前記第１期間及び第２期間の各々は、前記水平周期の半分に当たる。
【００１７】
前記第１画素は、前記第１スイッチング素子に連結される駆動トランジスタと、前記駆動トランジスタに連結される有機電界発光ダイオードと、前記駆動トランジスタに連結されるキャパシターを含む。
【００１８】
前記第２画素は、前記第２スイッチング素子に連結される駆動トランジスタと、前記駆動トランジスタに連結される有機電界発光ダイオードと、前記駆動トランジスタに連結されるキャパシターを含む。
【００１９】
また、本発明は、水平周期の第１期間及び第２期間の各々に、第１データ信号及び第２データ信号を供給する段階と、前記第１期間及び第２期間の各々に、前記第１データ信号及び第２データ信号を第１画素に蓄積して、前記第２期間に前記第１データ信号を第２画素に蓄積する段階を含む表示装置の駆動方法を提供する。
【００２０】
ここで、前記第１データ信号及び第２データ信号を蓄積する段階は、前記第１データ信号が、前記第１画素の第１スイッチング素子と前記第２画素の第２スイッチング素子に入力される段階と、前記第２データ信号が、前記第１スイッチング素子に入力されて、前記第２スイッチング素子に入力されない段階を含む。
【発明の効果】
【００２１】
本発明の有機電界発光素子では、これを駆動するためのデータ配線数を、従来に比べて、半分に減らした数だけ形成する。このことによって、信号配線パターンに消耗される材料費が節減され、また、データ配線数の節減によるデータドライバーＩＣ数も減少されるので、製造費用の節減に大変効果的である。さらに、十分な実装空間が確保できる。
【発明を実施するための最良の形態】
【００２２】
以下、添付された図面を参照して、本発明の実施例を詳しく説明する。
【実施例】
【００２３】
本実施例における有機電界発光素子は、そのデータ配線数を半減させ、これに伴ってデータドライバーＩＣ数が減少される長所がある。すなわち、１つのデータ配線によってデータ配線の左側/右側を同時に駆動する。
【００２４】
図３は、本実施例における有機電界発光素子を示した回路図である。
図３に示したように、データ信号が入力されるデータ配線Ｄと、これと交差されるスキャン配線Ｓ(ｎ)、Ｓ(ｎ＋１)が位置する。但し、ｎは整数である。データ配線Ｄの右左両側に形成されて、同一データ配線Ｄに連結された２画素に対して、説明の便宜上、左側の画素を奇数画素ＯＰ、右側の画素を偶数ＥＰとする。
【００２５】
奇数画素ＯＰは、奇数スイッチング素子、奇数駆動素子、奇数キャパシターＣ_Ｏ、奇数有機電界発光ダイオードＯＬＥＤ_Ｏを含む。奇数スイッチング素子は、直列連結された第１奇数スイッチングトランジスタＳＷ_Ｏ１及び第２奇数スイッチングトランジスタＳＷ_Ｏ２を含み、奇数駆動素子は、奇数駆動トランジスタＤ_Ｏを含む。
【００２６】
第１奇数スイッチングトランジスタＳＷ_Ｏ１は、(ｎ)番目のゲート配線Ｓ(ｎ)を通じてゲート信号の入力を受けてターンオンされて、データ配線Ｄに連結され奇数画素ＯＰに対応するデータ信号の入力を受ける。
【００２７】
第２奇数スイッチングトランジスタＳＷ_Ｏ２は、(ｎ)番目のゲート配線Ｓ(ｎ)を通じてゲート信号の入力を受けてターンオンされて、第１奇数スイッチングトランジスタＳＷ_Ｏ１から第２奇数スイッチングトランジスタＳＷ_Ｏ２に伝達されたデータは、奇数キャパシターＣ_Ｏに蓄積される。
【００２８】
前述したように、第１奇数スイッチングトランジスタＳＷ_Ｏ１及び第２奇数スイッチングトランジスタＳＷ_Ｏ２は、(ｎ)番目のゲート配線Ｓ(ｎ)に連結されているために、奇数スイッチング素子は、(ｎ)番目のゲート配線Ｓ(ｎ)のオン/オフゲート信号によってオン/オフされる。
【００２９】
奇数駆動トランジスタＤ_Ｏは、第２奇数スイッチングトランジスタＳＷ_Ｏ２の出力によってターンオンされる。奇数キャパシターＣ_Ｏに蓄積されたデータは、奇数駆動トランジスタＤ_Ｏを流れる電流、すなわち、奇数有機電界発光ダイオードＯＬＥＤ_Ｏに供給される電流の量を決定する。このような電流の量は、奇数有機電界発光ダイオードＯＬＥＤ_Ｏでの発光量を決定する。
【００３０】
偶数画素ＥＰは、偶数スイッチング素子、偶数駆動素子、偶数キャパシターＣ_Ｅ、偶数有機電界発光ダイオードＯＬＥＤ_Ｅを含む。偶数スイッチング素子は、直列連結された第１偶数スイッチングトランジスタＳＷ_Ｅ１及び第２偶数スイッチングトランジスタＳＷ_Ｅ２を含み、偶数駆動素子は、偶数駆動トランジスタＤ_Ｅを含む。
【００３１】
第１偶数スイッチングトランジスタＳＷ_Ｅ１は、(ｎ+１)番目のゲート配線Ｓ(ｎ+１)を通じてゲート信号の入力を受けてターンオンされて、データ配線Ｄに連結され偶数画素ＥＰに対応するデータ信号の入力を受ける。
【００３２】
第２偶数スイッチングトランジスタＳＷ_Ｅ２は、(ｎ)番目のゲート配線Ｓ(ｎ)を通じてゲート信号の入力を受けてターンオンされて、第１偶数スイッチングトランジスタＳＷ_Ｅ１から第２偶数スイッチングトランジスタＳＷ_Ｅ２に伝達されたデータは、偶数キャパシターＣ_Ｅに蓄積される。
【００３３】
前述したように、第１偶数スイッチングトランジスタＳＷ_Ｅ１及び第２偶数スイッチングトランジスタＳＷ_Ｅ２は、相互に異なるゲート配線Ｓ(ｎ)、Ｓ(ｎ+１)に連結されているために、偶数スイッチング素子は、(ｎ)番目のゲート配線Ｓ(ｎ)及び(ｎ+１)番目のゲート配線Ｓ(ｎ+１)のオンゲート信号によってターンオンされる。
【００３４】
但し、第１偶数スイッチングトランジスタＳＷ_Ｅ１は、(ｎ)番目のゲート配線Ｓ(ｎ)に連結されて、第２偶数スイッチングトランジスタＳＷ_Ｅ２は、(ｎ+１)番目のゲート配線Ｓ(ｎ+１)に連結される。
【００３５】
偶数駆動トランジスタＤ_Ｅは、第２偶数スイッチングトランジスタＳＷ_Ｅ２の出力によってターンオンされる。偶数キャパシターＣ_Ｅに蓄積されたデータは、偶数駆動トランジスタＤ_Ｅを流れる電流、すなわち、偶数有機電界発光ダイオードＯＬＥＤ_Ｅに供給される電流の量を決定する。このような電流の量は、偶数有機電界発光ダイオードＯＬＥＤ_Ｅでの発光量を決定する。
【００３６】
前述したような画素構造の有機電界発光素子の駆動を、図４及び図５を参照して説明する。
【００３７】
図４は、本実施例における有機電界発光素子の駆動方法を説明するための回路図であって、図５は、図４の有機電界発光素子を駆動するためのゲート信号の波形図である。
【００３８】
図４に示したように、左側の２つの画素は、図３の奇数画素に当たり、右側の２つの画素は、図３の偶数画素に当たる。説明の便宜のために、図４の４つの画素に対応する構成は、同一な参照記号を付している。すなわち、４つの画素は、各々第１スイッチングトランジスタＳＷ１及び第２スイッチングトランジスタＳＷ２、駆動トランジスタＤＲ、キャパシターＣ、有機電界発光ダイオードＯＬＥＤを有する。
各スキャン配線Ｓ(ｎ)、Ｓ(ｎ＋１)、Ｓ(ｎ＋２)に、ゲート信号が入力される。
【００３９】
図５に示したように、各スキャン配線｛Ｓ(ｎ)、Ｓ(ｎ＋１)、Ｓ(ｎ＋２)、Ｓ(ｎ＋３)、...｝に入力されるゲート信号は、任意の水平周期の第１半水平周期の間、オンレベル(または、ハイレベル)を有して、以後、第２半水平周期の間、オフレベル(または、ローレベル)を有する。その後、次の水平周期の間、さらにオンレベルを有する。このようなパターンで、毎フレームごとにゲート信号が印加される。また、ゲート信号は、各ゲート配線に対して順に１水平周期ほど遅延され入力される。このようなゲート信号の印加方式によって、任意のゲート配線は、次のゲート配線と半水平周期の間、同一にオンゲート信号の印加を受ける。
【００４０】
第１水平周期Ｈ_１の１番面の半水平周期の間、(ｎ)番目のゲート配線Ｓ(ｎ)及び(ｎ＋１)番目のゲート配線Ｓ(ｎ＋１)に、オンゲート信号が印加され、第１データ信号がデータ配線Ｄに印加される。このことによって、第１画素Ｐ１及び第２画素Ｐ２の第１スイッチングトランジスタＳＷ１及び第２スイッチングトランジスタＳＷ２は、ターンオンされ、第１データ信号は、第１画素Ｐ１及び第２画素Ｐ２に入力されて蓄積される。
【００４１】
第１水平周期Ｈ_１の２番面の半水平周期の間は、(ｎ)番目のゲート配線Ｓ(ｎ)にだけ、オンゲート信号が印加されて、(ｎ＋１)番目のゲート配線Ｓ(ｎ＋１)には、オフゲート信号が印加され、以後、第２データ信号がデータ配線Ｄに印加される。このことによって、第２画素Ｐ２の第１スイッチングトランジスタＳＷ１は、ターンオフされ、第２画素Ｐ２は、以前の第１データ信号を蓄積する。一方、第１画素Ｐ１の第１スイッチングトランジスタＳＷ１及び第２スイッチングトランジスタＳＷ２は、ターンオンされたままであるので、第１画素Ｐ１は、第１データ信号の代わりに、第２データ信号が入力されて蓄積される。
【００４２】
前述したように、(ｎ)番目のゲート配線Ｓ(ｎ)には、第１水平周期Ｈ_１の間、オンゲート信号が印加され、(ｎ＋１)番目のゲート配線Ｓ(ｎ＋１)には、第１水平周期Ｈ_１の１番面の半水平周期の間、オンゲート信号が印加される。また、第１データ信号及び第２データ信号は、各々１番目及び２番目の半水平周期の間、印加される。このことによって、第１画素Ｐ１のスイッチング素子は、第１水平周期Ｈ_１の間、ターンオンされ、第１画素Ｐ１は、最終的には、第２データ信号を有する。また、第２画素Ｐ２のスイッチング素子は、第１水平周期Ｈ_１の１番目の半水平周期の間、ターンオンされ、第２画素Ｐ２は、第１データ信号を有する。
【００４３】
第２水平周期Ｈ_２の１番面の半水平周期の間、(ｎ＋１)番目のゲート配線Ｓ(ｎ+１)及び(ｎ＋２)番目のゲート配線Ｓ(ｎ+２)に、オンゲート信号が印加され、第３データ信号がデータ配線Ｄに印加される。このことによって、第３画素Ｐ３及び第４画素Ｐ４の第１スイッチングトランジスタＳＷ１及び第２スイッチングトランジスタＳＷ２は、ターンオンされ、第３データ信号は、第３画素Ｐ３及び第４画素Ｐ４に入力されて蓄積される。但し、第３画素Ｐ３は、既に、第１水平周期Ｈ_１の１番面の半水平周期の間、第１データ信号に蓄積されるが、第２水平周期Ｈ_２の１番面の半水平周期の間、さらに第２データ信号を有するように蓄積される。
【００４４】
第２水平周期Ｈ_２の２番面の半水平周期の間は、(ｎ＋１)番目のゲート配線Ｓ(ｎ＋１)にだけ、オンゲート信号が印加され、(ｎ＋２)番目のゲート配線Ｓ(ｎ＋２)には、オフゲート信号が印かされて、以後、第４データ信号がデータ配線Ｄに印加される。このことによって、第４画素Ｐ４の第１スイッチングトランジスタＳＷ１は、ターンオフされ、第４画素Ｐ４は、以前の第３データ信号を蓄積する。一方、第３画素Ｐ３の第１スイッチングトランジスタＳＷ１及び第２スイッチングトランジスタＳＷ２は、ターンオンされたままであるので、第３画素Ｐ３は、第３データ信号の代わりに、第４データ信号が入力されて蓄積される。
【００４５】
前述したように、(ｎ＋１)番目のゲート配線Ｓ(ｎ＋１)には、第２水平周期Ｈ_２の間、オンゲート信号が印加され、(ｎ＋２)番目のゲート配線Ｓ(ｎ＋２)には、第２水平周期Ｈ_２の１番面の半水平周期の間、オンゲート信号が印加される。また、第３データ信号及び第４データ信号は、各々１番目及び２番目の半水平周期の間、印加される。このことによって、第３画素Ｐ３のスイッチング素子は、第２水平周期Ｈ_２の間、ターンオンされ、第３画素Ｐ３は、最終的には、第４データ信号を有する。また、第４画素Ｐ４のスイッチング素子は、第２水平周期Ｈ_２の１番目の半水平周期の間、ターンオンされ、第４画素Ｐ４は、第３データ信号を有する。
【００４６】
前述したような方法によって、各ゲート配線Ｓ(ｎ)、Ｓ(ｎ＋１)、Ｓ(ｎ＋２)等が順に駆動され、データ配線を共有する画素Ｐ１、Ｐ２、Ｐ３、Ｐ４を駆動させる。各画素Ｐ１、Ｐ２、Ｐ３、Ｐ４に蓄積されたデータ信号は、駆動トランジスタＤＲをターンオンさせて、このことによって、有機電界発光ダイオードＯＬＥＤは、光を放出する。
【００４７】
図６は、本発明の他の実施例による有機電界発光素子を示した回路図であって、図７は、図６の有機電界発光素子を駆動するためのゲート信号の波形図である。
【００４８】
図６に示したように、図６での奇数画素ＯＰ及び偶数画素ＥＰは、スイッチングトランジスタ及び駆動トランジスタのタイプを除いては、図３と類似している。すなわち、図３では、スイッチングトランジスタ及び駆動トランジスタとして、ｎ-タイプのトランジスタが使用されたが、図６では、スイッチングトランジスタＳＷ_Ｏ１、ＳＷ_Ｏ２、ＳＷ_Ｅ１、 ＳＷ_Ｅ２及び駆動トランジスタのＤ_Ｏ、Ｄ_Ｅとして、ｐ-タイプのトランジスタを使用する。
【００４９】
ｐ-タイプのトランジスタが使用されることによって、キャパシターＣ_Ｏ、Ｃ_Ｅと有機電界発光ダイオードＯＬＥＤ_Ｏ、ＯＬＥＤ_Ｅの位置も、図３とは多少異なる。すなわち、キャパシターＣ_Ｏ、Ｃ_Ｅは、駆動配線ＶＤＤ及び駆動トランジスタＤ_Ｏ、Ｄ_Ｅのゲート電極に連結される。また、有機電界発光ダイオードＯＬＥＤ_Ｏ、ＯＬＥＤ_Ｅは、接地端子ＧＮＤ及び駆動トランジスタＤ_Ｏ、Ｄ_Ｅに連結される。
【００５０】
さらに、ｐ-タイプのトランジスタが使用されることによって、トランジスタ等は、ローレベルのゲート信号によりターンオンされる。すなわち、図６の有機電界発光素子を駆動させるゲート信号は、図７に示したように、図５に示した波形のハイとローを反転させた波形である。
【００５１】
このように、図６の有機電界発光素子は、トランジスタのタイプを除いては、図３と類似な構造であって、また、類似な方法によって駆動される。従って、図６の有機電界発光素子の駆動方法に関しては省略する。
【００５２】
本発明の実施例による有機電界発光素子において、これを駆動するためのデータ配線数を、従来に比べて、半分に減らした数だけ形成する。このことによって、信号配線パターンに消耗される材料費が節減され、また、データ配線数の節減によるデータドライバーＩＣ数も減少されるので、製造費用の節減に大変効果的である。さらに、十分な実装空間が確保できる。
【００５３】
前述した本発明の実施例は、有機電界発光素子以外にも、他の表示装置、例えば、液晶表示装置、プラズマ表示パネル等にも使用される。
【００５４】
本発明は、前述した実施例に限られるものではなく、本発明の趣旨に反しない限度内で、多様に変更して実施できる。
【図面の簡単な説明】
【００５５】
【図１】従来の有機電界発光素子を示した回路図である。
【図２】図１の有機電界発光素子を駆動するためのゲート信号の波形図である。
【図３】本発明の実施例による有機電界発光素子を示した回路図である。
【図４】本発明の実施例による有機電界発光素子の駆動方法を説明するための回路図である。
【図５】図４の有機電界発光素子を駆動するためのゲート信号の波形図である。
【図６】本発明の他の実施例による有機電界発光素子を示した回路図である。
【図７】図６の有機電界発光素子を駆動するためのゲート信号の波形図である。
【符号の説明】
【００５６】
ＳＷ_Ｏ１：第１奇数スイッチングトランジスタ
ＳＷ_Ｏ２：第２奇数スイッチングトランジスタ
ＳＷ_Ｅ１：第１偶数スイッチングトランジスタ
ＳＷ_Ｅ２：第２偶数スイッチングトランジスタ
Ｄ_Ｏ：奇数駆動トランジスタ
Ｄ_Ｅ：偶数駆動トランジスタ
Ｃ_Ｏ：奇数キャパシター
Ｃ_Ｅ：偶数キャパシター
ＯＬＥＤ_Ｏ：奇数有機電界発光ダイオード
ＯＬＥＤ_Ｅ：偶数有機電界発光ダイオード
ＶＤＤ：駆動配線
Ｄ：データ配線
Ｓ(ｎ)、Ｓ(ｎ＋１)：ゲート配線
ＯＰ：奇数画素
ＥＰ：偶数画素
【図１】
2007011322.tif 000003
【図２】
2007011322.tif 000004
【図３】
2007011322.tif 000005
【図４】
2007011322.tif 000006
【図５】
2007011322.tif 000007
【図６】
2007011322.tif 000008
【図７】
2007011322.tif 000009